(57)【特許請求の範囲】
【請求項１】
複数の子局通信装置と分岐された光ファイバを介して接続する親局通信装置において、
下り方向のデータを受信する受信部と、
前記受信部で受信したデータを、前記子局通信装置に係るグループごとに振り分けるデータ振り分け処理部と、
前記データ振り分け処理部で振分けられたデータを一時保存する記憶部と、
前記データ振り分け処理部へ、受信したデータの振り分け方法を指示し、前記記憶部へ一時保存している分割データの読出しタイミングを指示する制御部と、
前記記憶部から読み出されたデータを多値数で変調する多値変調部と、
前記多値変調部で変調した信号を、ＯＦＤＭ信号に変換して前記子局通信装置側に出力する変換部とを有し、
前記データ振り分け処理部は、前記受信部で受信したデータを、前記子局通信装置に係るグループごとに振り分け、振り分けたデータを、グループ毎の所定の分割サイズに分割して分割データを取得し、
前記記憶部は、前記データ振り分け処理部で取得された分割データを一時保存し、
前記制御部は、前記データ振り分け処理部へ、受信したデータの振り分け方法及び前記所定のサイズを指示し、前記記憶部へ一時保存している分割データの読出しタイミングを指示する
ことを特徴とする親局通信装置。
【請求項２】
前記制御部は、グループごとに割り当てるサブキャリア、及び変調に用いる多値数を決定し、グループごとの多値数に基づいた分割サイズを求めて前記データ振り分け処理部に指示することを特徴とする請求項１に記載の親局通信装置。
【請求項３】
前記記憶部から読みだされた分割データを、直列信号として出力するパラレルシリアル変換器と、
前記パラレルシリアル変換器から出力された直列信号から分割データを取得して、前記多値変調部に供給するシリアルパラレル変換器と
をさらに有することを特徴とする請求項１又は２に記載の親局通信装置。
【請求項４】
複数の子局通信装置と分岐された光ファイバを介して接続する親局通信装置が行う通信方法において、
前記親局通信装置は、受信部、データ振り分け処理部、記憶部、制御部、多値変調部、及び変換部を有し、
前記受信部は、下り方向のデータを受信し、
前記データ振り分け処理部は、前記受信部で受信したデータを、前記子局通信装置に係るグループごとに振り分け、
前記記憶部は、前記データ振り分け処理部で振分けられたデータを一時保存し、
前記制御部は、前記データ振り分け処理部へ、受信したデータの振り分け方法を指示し、前記記憶部へ一時保存している分割データの読出しタイミングを指示し、
前記多値変調部は、前記記憶部から読み出されたデータを多値数で変調し、
前記変換部は、前記多値変調部で変調した信号を、ＯＦＤＭ信号に変換して前記子局通信装置側に出力し、
前記データ振り分け処理部は、前記受信部で受信したデータを、前記子局通信装置に係るグループごとに振り分け、振り分けたデータを、グループ毎の所定の分割サイズに分割して分割データを取得し、
前記記憶部は、前記データ振り分け処理部で取得された分割データを一時保存し、
前記制御部は、前記データ振り分け処理部へ、受信したデータの振り分け方法及び前記所定のサイズを指示し、前記記憶部へ一時保存している分割データの読出しタイミングを指示する
ことを特徴とする通信方法。
【請求項５】
複数の子局通信装置と、それぞれの前記子局通信装置と分岐された光ファイバで接続された親局通信装置とを有するネットワークシステムにおいて、それぞれの前記親局通信装置として請求項１〜３のいずれかに記載の親局通信装置を適用したことを特徴とするネットワークシステム。
【発明の詳細な説明】
【技術分野】
【０００１】
この発明は、親局通信装置、通信方法、及びネットワークシステムに関し、例えば、伝送容量が伸縮する直交周波数多重方式（ＯＦＤＭ：Ｏｒｔｈｏｇｏｎａｌ  Ｆｒｅｑｕｅｎｃｙ−Ｄｉｖｉｓｉｏｎ  Ｍｕｌｔｉｐｌｅｘｉｎｇ）を用いた通信に適用し得る。
【背景技術】
【０００２】
直交周波数分割多重（ＯＦＤＭ）方式は無線通信で実用されている通信方式である。現在、キャリア周波数を光の周波数まで高めた光ＯＦＤＭ方式が、光通信分野で盛んに研究されている。さらに、この光ＯＦＤＭ信号の信号パラメータ（サブキャリア数、変調多値数など）をネットワークの状況に応じて動的に変更することで、帯域資源を効率的に利用するネットワークの研究も近年行われている。以下では、このような通信方式を、「動的可変光ＯＦＤＭ方式」と呼ぶものとする。
【０００３】
そして、従来、１対多の光ネットワーク（いわゆるＰＯＮ（Ｐａｓｓｉｖｅ  Ｏｐｔｉｃａｌ  Ｎｅｔｗｏｒｋ）型のネットワーク）におけるデータ伝送方式に動的可変光ＯＦＤＭ方式を適用したものとして、特許文献１に記載されたシステムが存在する。ＰＯＮ型のネットワークでは、１個の収容局側装置（ＯＬＴ（Ｏｐｔｉｃａｌ  Ｌｉｎｅ  Ｔｅｒｍｉｎａｌ）；親局通信装置）と、複数の加入者側装置（ＯＮＵ（Ｏｐｔｉｃａｌ  Ｎｅｔｗｏｒｋ  Ｕｎｉｔ）；子局通信装置）を、分岐された光ファイバで接続した構成（１対多光ネットワークの構成）となっている。ＯＬＴはさらに上位側のネットワークと接続している。また、各ＯＮＵはユーザ側のネットワーク（ユーザ端末）と接続している。
【０００４】
次に、従来のＯＦＤＭ方式を適用したネットワーク（１対多光ネットワーク）の構成概要について説明する。
【０００５】
特許文献１に記載されたネットワークは、１台のＯＬＴ（局側装置）と複数のＯＮＵ（加入者側装置）およびこれらの装置を光学的に接続する光合分波器で構成されている。特許文献１に記載されたネットワークでは、通信に用いる変調多値数が同一のＯＮＵがグループ化されている。以下ではこのＯＮＵのグループを、「ＯＮＵグループ」または単に「グループ」と呼ぶものとする。ＯＮＵグループ化の一例として、特許文献１では、ＯＬＴ−ＯＮＵ間の距離に応じたグループ化が挙げられている。
【０００６】
次に、従来の動的可変光ＯＦＤＭ方式を適用したネットワーク（ＰＯＮ型のネットワーク）で送受信される光ＯＦＤＭ信号について、図９を用いて説明する。
【０００７】
ＯＦＤＭ伝送は複数の副搬送波（サブキャリア）をそれぞれ独立に変調し、データ信号を重畳して伝送する方式である。サブキャリアは周期的に変調される。従来の動的可変光ＯＦＤＭ方式を適用したネットワークでは、サブキャリアがＯＮＵグループごとに分配される。
【０００８】
以下では、この変調されたサブキャリアを「ＯＦＤＭシンボル」と呼び、その変調周期を「ＯＦＤＭシンボル周期」と呼ぶものとする。また、以下では、周波数軸上に等間隔（サブキャリア間隔と呼ぶ）に配置された全サブキャリア数をＮ［ＳＣ］とする。さらに、以下では、これらのサブキャリアに識別番号（１〜Ｎのいずれかの整数）を付して説明する。さらにまた、以下では、ネットワーク上のＯＮＵグループの総数をｋとし、各ＯＮＵグループに識別番号（１〜ｋのいずれかの整数）を付して説明する。また、以下では、ＯＮＵグループｉ（ｉは１〜ｋの整数）に割り当てられたサブキャリアの変調多値数（すなわち１ＯＦＤＭシンボル、１サブキャリアあたり伝送できる情報ビット数）をＡｉ［ｂｉｔ／ｓｙｍｂｏｌ／ＳＣ］と表すものとする。さらに、以下では、ＯＮＵグループｉに割り当てられたサブキャリアの数をＮｉ［ＳＣ］と表すものとする。
【０００９】
図９において、各四角形（セル）は、は光ＯＦＤＭ信号の１ＯＦＤＭシンボル、１サブキャリアを表し、各四角形の中に記載された値はそのサブキャリアを変調する多値数を表している。そして、従来の動的可変光ＯＦＤＭ方式を適用したネットワークにおいて、ＯＦＤＭシンボル周期をＴｓ［ｓ］とすると、当該ネットワークにおける光ＯＦＤＭ信号の伝送ビットレートは以下の（１）式で算出できる。
【数１】
0006275177.tif 000002
【００１０】
従来の動的可変光ＯＦＤＭ方式を適用したネットワークでは、ＯＬＴ−ＯＮＵ間の距離などに応じて多値数Ａｉを選択し、またその時々のトラフィック量に応じてサブキャリア数Ｎｉを変更することで、通信需要に合致した帯域を提供することができる。図９では、時刻Ｔ１でＮｉの値を変更した例となっている。
【００１１】
そして、ＯＮＵ（すなわち、受信側）では、自身のＯＮＵグループに属するサブキャリアを送信側（ＯＬＴ）と同一の多値数で復調することで、元の信号を復元することができる。
【先行技術文献】
【特許文献】
【００１２】
【特許文献１】特開２０１４−１２０７８８号公報
【発明の概要】
【発明が解決しようとする課題】
【００１３】
ところで、動的可変光ＯＦＤＭ方式を適用したネットワークにおいて、光ＯＦＤＭ信号の伝送ビットレートは、上記の（１）式に示すように、ＯＮＵグループｉの多値数Ａｉやサブキャリア数Ｎｉを変更すると変化する。一方、従来のＯＮＵやＯＬＴにおいて、光ファイバと接続して光ＯＦＤＭ信号を送受信するインタフェース（以下、「光送受信器」と呼ぶ）と、種々のメディア（例えば、ＬＡＮケーブル等）と接続してパケット送受信するインタフェース(以下、「メディアアクセス処理部」と呼ぶ)との間のインタフェースを流れる信号の伝送ビットレートは一定の場合が多い。そのため、従来の動的可変光ＯＦＤＭ方式を適用したネットワーク（１対多のネットワーク）を構成するＯＬＴやＯＮＵにおいて、光送受信器側の伝送ビットレート（光ＯＦＤＭ信号の伝送ビットレート）と、メディアアクセス処理部側の伝送ビットレートが異なる場合、通信に不具合が生じるおそれがあった。
【００１４】
例えば、従来のＯＬＴにおいて、メディアアクセス処理部から光送受信器へ向かう下り信号の伝送ビットレートが、光送受信器の伝送ビットレート（光ＯＦＤＭ信号の伝送ビットレート）より大きい場合、光送受信器内部で送信信号がオーバフローしてデータの欠損が生じるおそれがある。しかしながら、従来のＯＬＴ及びＯＮＵでは、この伝送ビットレートの差異を吸収するインタフェースについては未だ開示されていない。
【００１５】
また、上述のように動的可変光ＯＦＤＭ方式を適用したネットワークでは、ＯＮＵグループｉのサブキャリア数Ｎｉを変更することで、通信需要に合致した帯域を提供することができる。さらに従来のネットワークでは、あるＯＮＵグループのサブキャリア数を変更すると、別のＯＮＵグループのサブキャリア数も同時に変更されることが多い。なぜならば、光ＯＦＤＭ信号の全サブキャリア数Ｎは一定であるため、例えばあるＯＮＵグループのサブキャリア数を増加させると別のあるＯＮＵグループのサブキャリア数は必ず減少させなければならないためである。従って、動的可変光ＯＦＤＭ方式を適用したネットワークにおいて、サブキャリア数の変更はネットワークシステム全体で同期して行うことが望まれる。
【００１６】
また、上述のように動的可変光ＯＦＤＭ方式を適用したネットワークでは、各サブキャリアがそれぞれ独立の情報を同時に伝送する。すなわち、各サブキャリアが独立した伝送路のようにふるまう並列伝送方式となる。したがって、上述のように動的可変光ＯＦＤＭ方式を適用したネットワークでは、複数のパケット状のデータをそれぞれ異なる伝送路（すなわちサブキャリア）で送信した場合、伝送路の混み具合やスループットによっては送信側と受信側でパケットの到着順序が逆転することが起こりうる。従来のネットワークでは、順序逆転により品質が劣化しやすいサービス（例えばストリーム映像配信サービスなど）も存在するため、パケットの順序逆転が生じないことが望まれる。
【００１７】
以上のような問題に鑑みて、動的可変光ＯＦＤＭ（直交周波数多重方式）方式を適用したネットワークにおいて、柔軟かつ安定的にトラフィック制御を行うことができる親局通信装置、通信方法、及びネットワークシステムが望まれている。
【課題を解決するための手段】
【００１８】
第１の本発明は、複数の子局通信装置と分岐された光ファイバを介して接続する親局通信装置において、（１）下り方向のデータを受信する受信部と、（２）前記受信部で受信したデータを、前記子局通信装置に係るグループごとに振り分けるデータ振り分け処理部と、（３）前記データ振り分け処理部で振分けられたデータを一時保存する記憶部と、（４）前記データ振り分け処理部へ、受信したデータの振り分け方法を指示し、前記記憶部へ一時保存している分割データの読出しタイミングを指示する制御部と、（５）前記記憶部から読み出されたデータを多値数で変調する多値変調部と、（６）前記多値変調部で変調した信号を、ＯＦＤＭ信号に変換して前記子局通信装置側に出力する変換部とを有し、（７）前記データ振り分け処理部は、前記受信部で受信したデータを、前記子局通信装置に係るグループごとに振り分け、振り分けたデータを、グループ毎の所定の分割サイズに分割して分割データを取得し、（８）前記記憶部は、前記データ振り分け処理部で取得された分割データを一時保存し、（９）前記制御部は、前記データ振り分け処理部へ、受信したデータの振り分け方法及び前記所定のサイズを指示し、前記記憶部へ一時保存している分割データの読出しタイミングを指示することを特徴とする。
【００１９】
第２の本発明は、複数の子局通信装置と分岐された光ファイバを介して接続する親局通信装置が行う通信方法において、（１）前記親局通信装置は、受信部、データ振り分け処理部、記憶部、制御部、多値変調部、及び変換部を有し、（２）前記受信部は、下り方向のデータを受信し、（３）前記データ振り分け処理部は、前記受信部で受信したデータを、前記子局通信装置に係るグループごとに振り分け、（４）前記記憶部は、前記データ振り分け処理部で振分けられたデータを一時保存し、（５）前記制御部は、前記データ振り分け処理部へ、受信したデータの振り分け方法を指示し、前記記憶部へ一時保存している分割データの読出しタイミングを指示し、（６）前記多値変調部は、前記記憶部から読み出されたデータを多値数で変調し、（７）前記変換部は、前記多値変調部で変調した信号を、ＯＦＤＭ信号に変換して前記子局通信装置側に出力し（８）前記データ振り分け処理部は、前記受信部で受信したデータを、前記子局通信装置に係るグループごとに振り分け、振り分けたデータを、グループ毎の所定の分割サイズに分割して分割データを取得し、（９）前記記憶部は、前記データ振り分け処理部で取得された分割データを一時保存し、（１０）前記制御部は、前記データ振り分け処理部へ、受信したデータの振り分け方法及び前記所定のサイズを指示し、前記記憶部へ一時保存している分割データの読出しタイミングを指示することを特徴とする。
【００２０】
第３の本発明のネットワークシステムは、複数の子局通信装置と、それぞれの前記子局通信装置と分岐された光ファイバで接続された親局通信装置とを有するネットワークシステムにおいて、それぞれの前記親局通信装置として第１の本発明の親局通信装置を適用したことを特徴とする。
【発明の効果】
【００２１】
本発明によれば、動的可変光ＯＦＤＭ（直交周波数多重方式）方式を適用したネットワークにおいて、柔軟かつ安定的にトラフィック制御を行うことができる。
【図面の簡単な説明】
【００２２】
【図１】第１の実施形態に係るＯＬＴの機能的構成について示したブロック図である。
【図２】第１の実施形態に係るネットワークシステムの全体構成について示したブロック図である。
【図３】第１の実施形態に係るＯＮＵの機能的構成について示したブロック図である。
【図４】第１の実施形態に係る、ＯＬＴで生成される下り方向の光ＯＦＤＭ信号の構成について示した説明図である。
【図５】第２の実施形態に係るＯＬＴの機能的構成について示したブロック図である。
【図６】第３の実施形態に係るＯＬＴの機能的構成について示したブロック図である。
【図７】第２の実施形態に係るＯＬＴのメディアアクセス処理部（パラレルシリアル変換器）から出力されるシリアル信号の構成について示した説明図である。
【図８】第３の実施形態に係るＯＬＴのメディアアクセス処理部（パラレルシリアル変換器）から出力されるシリアル信号の構成について示した説明図である。
【図９】従来のＯＬＴで生成される下り方向の光ＯＦＤＭ信号の構成について示した説明図である。
【発明を実施するための形態】
【００２３】
（Ａ）第１の実施形態
以下、本発明による親局通信装置、通信方法、及びネットワークシステムの第１の実施形態を、図面を参照しながら詳述する。以下では、本発明の親局通信装置をＯＬＴに適用した例について説明する。
【００２４】
（Ａ−１）第１の実施形態の構成
図２は、この実施形態のネットワークシステム１００の全体構成を示したブロック図である。なお、図２における括弧内の符号は、後述する第２、第３の実施形態で用いられる符号である。
【００２５】
ネットワークシステム１００は、動的可変光ＯＦＤＭ方式を適用した１対多光ネットワーク（いわゆるＰＯＮ型のネットワーク）の構成となっている。
【００２６】
ネットワークシステム１００には、１つのＯＬＴ２と、複数のＯＮＵ５が配置されている。
【００２７】
ＯＬＴ２には、光ファイバＦが接続（光学的に接続）されており、光ファイバＦは光合分波器３で分岐されて各ＯＮＵ５に接続されている。
【００２８】
ネットワークシステム１００に配置されたＯＮＵ５は、ｋ個のＯＮＵグループ４（４−１〜４−ｋ）に分けて管理されるものとする。図２に示すＯＮＵグループ１〜ｋの識別番号はそれぞれ１〜ｋであるものとする。そして、ＯＮＵグループ１〜ｋには、それぞれｍ１〜ｍｋ個のＯＮＵ５が配置されているものとする。
【００２９】
なお、図２では、下り方向の通信方式（上位ネットワーク１から各ユーザ端末へ向かう通信）に関する構成について図示し、上り方向の通信に関する構成については図示を省略している。ネットワークシステム１００では、上り方向の通信に係る構成については種々の構成を適用することができるため詳しい説明を省略する。
【００３０】
ＯＬＴ２は、上位ネットワーク１と、光ファイバＦに接続している。また、各ＯＮＵ５は、光合分波器３により分岐された光ファイバＦと、下位側のネットワークを構成するユーザ端末６に接続している。各ＯＮＵ５の下位側のネットワーク構成は限定されないものであり種々のネットワーク構成を適用することができる。図２では、図示を簡便とするために各ＯＮＵ５はユーザ端末６と直接接続した構成として図示しているが、実際にはスイッチやルータ（無線アクセスポイント）等の種々のネットワーク構成を介して接続（有線であるか無線であるか限定されない）するようにしてもよい。また、ＯＬＴ２が接続する上位ネットワーク１の構成についても限定されないものであり種々のネットワーク構成を適用することができる。
【００３１】
以上のように、ＯＬＴ２と各ＯＮＵ５により構成されるネットワークシステム１００は、各ＯＮＵ５のユーザ端末６（下位側ネットワーク）と上位ネットワーク１との間の通信を中継する構成となっている。
【００３２】
ＯＬＴ２は、光ファイバＦと接続して光ＯＦＤＭ信号を送受信するインタフェースとしてのＯＦＤＭ光受信器２１と、任意のメディア（例えば、イーサネット（登録商標）インタフェース等）を用いて上位ネットワーク１と接続するメディアアクセス処理部２０とを有している。
【００３３】
上位ネットワーク１からＯＬＴ２に供給された下りデータ信号は、ＯＬＴ２内部のメディアアクセス処理部２０とＯＦＤＭ光受信器２１を介して光ＯＦＤＭ信号に変換され、光ファイバＦに出力される。メディアアクセス処理部２０はパケット状の下りデータ信号を宛先ごとに分類し、ネットワークシステム１００全体の送受信制御（各ＯＮＵ５との送受信制御）を行う。ＯＦＤＭ光受信器２１はメディアアクセス処理部２０から送られてきた情報ビット列に従ってＯＦＤＭ信号のサブキャリアを変調し、光ＯＦＤＭ信号を生成する機能も担っている。
【００３４】
光合分波器３は、下り信号については、ＯＬＴ２から送出された光ＯＦＤＭ信号を各ＯＮＵ５へ分波する。また、光合分波器３は、上り信号については、各ＯＮＵ５から送出された光ＯＦＤＭ信号を合波してＯＬＴ２側に供給する。
【００３５】
各ＯＮＵ５は、光合分波器３により分岐された光ファイバＦと接続して光ＯＦＤＭ信号を送受信するインタフェースとしてのＯＦＤＭ光受信器５０と、任意のメディア（例えば、イーサネットインタフェースース等）を用いてユーザ端末６（下位側ネットワーク）と接続するメディアアクセス処理部５１とを有している。
【００３６】
光ファイバＦからＯＮＵ５に入力された光ＯＦＤＭ信号（下り方向の信号）は、ＯＮＵ５内部のＯＦＤＭ光受信器５０とメディアアクセス処理部５１とを介して元の下りデータ信号に変換される。また、ＯＦＤＭ光受信器５０は光ＯＦＤＭ信号を復調し、情報ビット列を復元する機能を担っている。さらに、メディアアクセス処理部５１はＯＦＤＭ光受信器５０から送られてくる信号から自装置宛の信号を抽出し、元のパケット状の下りデータ信号を再構成し、ユーザ端末６（下位ネットワーク側）に向けて送信する機能も担っている。また、メディアアクセス処理部５１は、ＯＬＴ２のメディアアクセス処理部２０からの指示を受け、ＯＮＵ５内部の処理動作を統制する機能も担っている。
【００３７】
次に、ＯＬＴ２の内部の詳細構成について図１を用いて説明する。
【００３８】
図１では、下り方向の通信方式（上位ネットワーク１から各ユーザ端末へ向かう通信）に関する構成について図示し、上り方向の通信に関する構成については図示を省略している。なお、ＯＬＴ２において、上り方向の信号を処理する構成については種々のＯＬＴと同様の構成を適用することができる。
【００３９】
上述の通り、ＯＬＴ２は、ＯＦＤＭ光受信器２１及びメディアアクセス処理部２０を有している。
【００４０】
そして、メディアアクセス処理部２０は、制御部２２、データ振り分け処理部２３、及び、Ｎ個のメモリ２４（２４−１〜２４−Ｎ）を有している。また、ＯＦＤＭ光受信器２１は、Ｎ個のメモリ２４（２４−１〜２４−Ｎ）のそれぞれに対応する多値変調器２７（２７−１〜２７−Ｎ）、ＩＤＦＴ（Ｉｎｖｅｒｓｅ  Ｄｉｓｃｒｅｔｅ  Ｆｏｕｒｉｅｒ  Ｔｒａｎｓｆｏｒｍ）２８、パラレルシリアル変換器２９、及び電気光変換器３０を有している。
【００４１】
制御部２２は、ＯＬＴ２内の各構成要素を制御する機能を担っている。制御部２２は、各メモリ２４に対してデータを読み出すタイミングおよび読み出す量を指示する。また、制御部２２は、データ振り分け処理部２３に対して入力された下りデータ信号の振り分け方法を指示する。さらに、制御部２２は、ＯＦＤＭ光受信器２１に対して各サブキャリアを多値変調する際の多値数を指示する。さらにまた、制御部２２は、各ＯＮＵ５に対して受信すべきサブキャリアの番号およびその変調多値数を通知する。
【００４２】
データ振り分け処理部２３は、制御部２２の指示に従い入力された下りデータ信号を分割し、メモリ２４に向けて出力する機能を担っている。データ振り分け処理部２３の内部は、グループ振り分け処理部３１、及びｋ個のサブキャリア振分処理部３２（３２−１〜３２−ｋ）に機能分割されている。グループ振り分け処理部３１は、制御部２２の指示に従い入力された下りデータ信号に含まれる宛先情報を読み取り、下りデータ信号をＯＮＵグループごとに振り分けて出力する機能を担っている。サブキャリア振分処理部３２−ｉ（ｉは１からｋのいずれかの整数）は振り分けられたＯＮＵグループｉ宛の下りデータ信号を、先頭から制御部２２から指定されたビット長（分割サイズ）に分割して振り分ける機能を担っている。
【００４３】
メモリ２４−１〜２４−Ｎはそれぞれデータ振り分け処理部から入力された信号を一時保存し、制御部からの指示に従って順に読みだして出力する機能を担っている。
【００４４】
多値変調器２７−１〜２７−Ｎは、それぞれ、入力されるデータを、対応するサブキャリアに変調する機能を担っている。具体的には、多値変調器２７−ｊ（ｊは１〜Ｎのいずれかの整数）は入力されるデータに従い、光ＯＦＤＭ信号のサブキャリアｊを多値数Ａｉ（制御部２２から指定された多値数）で変調する。サブキャリアと多値数との対応関係については後述する。
【００４５】
ＩＤＦＴ２８は離散逆フーリエ変換を行い、周波数領域の入力信号を時間領域の出力信号に変換する機能を担っている。
【００４６】
パラレルシリアル変換器２９はＩＤＦＴ２８からの並列時間領域信号を直列信号（シリアル信号）に変換する機能を担っている。
【００４７】
電気光変換器３０はパラレルシリアル変換器２９からの電気信号を光信号に変換する機能を担っている。
【００４８】
次に、ＯＮＵ５の内部の詳細構成について図３を用いて説明する。
【００４９】
図３では、下り方向の通信方式（上位ネットワーク１から各ユーザ端末へ向かう通信）に関する構成について図示し、上り方向の通信に関する構成については図示を省略している。なお、ＯＮＵ５において、上り方向の信号を処理する構成については種々のＯＮＵと同様の構成を適用することができる。
【００５０】
上述の通り、ＯＮＵ５は、ＯＦＤＭ光受信器５０及びメディアアクセス処理部５１を有している。
【００５１】
ＯＦＤＭ光受信器５０は、光電気変換器５２、シリアルパラレル変換器５３、ＤＦＴ５４、及びＮ個の多値復調器５５−１〜５５−Ｎを有している。
【００５２】
光電気変換器５２は光ＯＦＤＭ信号を電気信号に変換する機能を担っている。
【００５３】
シリアルパラレル変換器５３は光電気変換器５２からの直列信号を並列信号に変換する機能を担っている。
【００５４】
ＤＦＴ５４はシリアルパラレル変換器５３から入力される時間領域信号に対し離散フーリエ変換を行い、周波数領域信号として出力する機能を担っている。
【００５５】
多値復調器５５−ｊ（ｊは１からＮのいずれかの整数）はそれぞれ受信した光ＯＦＤＭ信号のサブキャリアｊを、制御部５８から指定された多値数Ａｊ（制御部２２から指定された多値数）で復調を行い、サブキャリアに重畳されたデータ信号を抽出する機能を担っている。
【００５６】
メディアアクセス処理部５１は、Ｎ個のメモリ５６（５６−１〜５６−Ｎ）、データ結合処理部５７及び制御部５８を有している。さらに、データ結合処理部５７は、ｋ個のサブキャリア結合処理部５９（５９−１〜５９−ｋ）及びデータ選択処理部６０を有している。
【００５７】
メモリ５６−ｊ（ｊは１からＮのいずれかの整数）はそれぞれ多値復調器５５−ｊから入力された信号を一時保存し、制御部５８からの指示に従い順に読み出す機能を担っている。
【００５８】
データ結合処理部５７は制御部５８の指示に従い、メモリ５６から入力されたデータ信号を結合し、ユーザ端末６に向けて出力する機能を担っている。データ結合処理部５７の内部は、ｋ個のサブキャリア結合処理部５９（５９−１〜５９−ｋ）、及びデータ選択処理部６０に機能分割される。サブキャリア結合処理部５９−ｉ（ｉは１からｋのいずれかの整数）はＮｉ個の入力ポートから入力された信号を順に並べて結合し、元の下りデータ信号を復元する機能を担っている。データ選択処理部は、制御部５８から指示された自身の属するＯＮＵグループのサブキャリア結合処理部５９からの入力信号を選択し、そのまま出力する。
【００５９】
制御部５８は、ＯＮＵ５の各構成要素を制御する機能を担っている。制御部５８は、メモリ５６に対して読みだすタイミングおよび読みだす量を指示する。また、制御部５８は、データ結合処理部５７に対してデータの結合方法および自身の属するグループ番号を指示する。またＯＬＴ２から通知される受信すべきサブキャリアの番号およびその復調多値数を受け取り、ＯＦＤＭ光受信器５０に対してそれらを指示する。
【００６０】
（Ａ−２）第１の実施形態の動作
次に、以上のような構成を有する第１の実施形態のネットワークシステム１００の動作について図２〜図３を用いて説明する。
【００６１】
下りデータ信号が上位ネットワーク１からＯＬＴ２、ＯＮＵ５を経由してユーザ端末６に届くまでに行われる信号処理手順を説明する。以下では、ＯＬＴ２内部で行われる信号処理動作（特にデータ振り分け処理部２３およびメモリ２４の動作）を中心に説明する。なお、ネットワークシステム１００において、上り方向の信号処理については、種々のＯＬＴ及びＯＮＵと同様の処理を適用することができるため、詳しい説明を省略する。
【００６２】
まず、ＯＬＴ２での信号処理手順について、図１を用いて説明する。
【００６３】
上位ネットワーク１から入力されたパケット状の下りデータ信号はグループ振り分け処理部３１にてＯＮＵグループごとに振り分けられる。グループ振り分け処理部３１は、例えば、下り信号データに含まれる宛先情報を読み取り、その宛先情報とＯＮＵグループとの対応が登録されたテーブル（図示せず）を参照して振り分けを実施する。対応テーブルは制御部２２から別途指示（入力）される。
【００６４】
ＯＮＵグループｉ（ｉ＝１〜ｋ）に振り分けられた下りデータ信号は、サブキャリア振分処理部３２−ｉにて先頭からＭ・Ａｉ［ｂｉｔ］ごとに分割されたのち、それぞれ別ポートから出力される。
【００６５】
ここでＭは任意の自然数であるものとする。また、Ａｉ［ｂｉｔ／ｓｙｍｂｏｌ／ＳＣ］はＯＮＵグループｉに属するサブキャリアを変調する際の多値数であるものとする。
【００６６】
図１では、グループ振り分け処理部３１により、サブキャリア振分処理部３２−１に振り分けられた下りデータ信号に４１という符号を付している。また、図１では、下りデータ信号４１を先頭から順にＭ・Ａ１［ｂｉｔ］ずつ分割されたＮ１個の分割データ(分割ブロック）に、それぞれ４１−１〜４１−Ｎ１という符号を付している。さらに、図１では、サブキャリア振分処理部３２−１により振り分けられ、メモリ２４−１〜２４−Ｎ１に供給される下りデータ信号にそれぞれ４２−１〜４２−Ｎ１という符号を付している。
【００６７】
図１では、グループ振り分け処理部３１により、サブキャリア振分処理部３２−ｋに振り分けられた下りデータ信号に４５という符号を付している。また、図１では、下りデータ信号４５を先頭から順にＭ・Ａ１［ｂｉｔ］ずつ分割したＮｋ個の分割データ(分割ブロック）に、それぞれ４５−（Ｎ−Ｎｋ＋１）〜４５−Ｎという符号を付している。さらに、図１では、サブキャリア振分処理部３２−ｋにより振り分けられ、メモリ２４−（Ｎ−Ｎｋ＋１）〜２４−Ｎに供給される下りデータ信号にそれぞれ４６−（Ｎ−Ｎｋ＋１）〜４６−Ｎという符号を付している。
【００６８】
例えば、図１においてＯＮＵグループ１に振り分けられた下りデータ信号４１はサブキャリア振分処理部３２−１にて先頭からＭ・Ａ１［ｂｉｔ］ごとに分割される。そして、下りデータ信号４１の先頭の分割データ信号４１−１は、メモリ２４−１に向けて出力される。すなわち図１において、下りデータ信号４２−１は分割データ信号４１−１と同一である。２番目の分割データ信号４１−２は、同様にメモリ２４−２に向けて出力される。以降、同様に処理がなされ、Ｎ１番目の分割データ信号４１−Ｎ１はメモリ２４−Ｎ１に向けて出力される。メディアアクセス処理部２０では、各ＯＮＵグループについて以上の動作が行われる。すなわちＮ１＋１番目の分割データは再びメモリ２４−１に向けて出力される。図１において、ＯＮＵグループｋに振り分けられた下りデータ信号４５も、上述のＯＮＵグループ１と同様の処理が行われることになる。
【００６９】
分割された下りデータ信号は各メモリ２４にＭ・Ａｉ［ｂｉｔ］単位で一時保存される。そして制御部２２の指示に従い、メモリ２４−１〜２４−Ｎは保存された分割信号のうち最も古いものを同時に出力する。すなわち、メモリ２４−１〜２４−Ｎから出力された信号は、図１において４０という符号を付した枠で囲まれた一塊の信号（バースト信号と呼ぶ）となる。
【００７０】
多値変調器２７−ｊ（ｊは１〜ｋのいずれかの整数）は、メモリ２４−ｊから出力された分割データ信号に従って、サブキャリアｊを多値数Ａｉ（制御部２２から指定された多値数）で変調する。そしてＩＤＦＴ２８で時間領域の信号に変換後、パラレルシリアル変換器２９、電気光変換器３０を経て光ＯＦＤＭ信号に変換される。これらの動作は従来のＯＦＤＭ信号処理動作と同様なので説明を省略する。
【００７１】
次に、ＯＬＴ２で生成される下り方向の光ＯＦＤＭ信号の構成について図４を用いて説明する。
【００７２】
ＯＬＴ２において、上述の図１に示すように、下りデータ信号を光ＯＦＤＭ信号に変換した結果、光ＯＦＤＭ信号は、図４に示すように時間軸上でＯＦＤＭシンボル周期Ｍ個分を基本単位（光ＯＦＤＭ信号ブロックと呼ぶ）とした周期的な構成となる。この光ＯＦＤＭ信号ブロック１つにつき、図１で説明したバースト信号１つ分のデータが載せられる。従って、光ＯＦＤＭ信号ブロックとインタフェースのバースト信号の対応が明確になる。また光ＯＦＤＭ信号ブロックの境目（図４の時刻ＴＳ１〜ＴＳ４の各時刻）は時間軸上ですべて同期する。また、図４の例では、各タイミングにおける各サブキャリア（１〜Ｎのサブキャリア）に対応する多値数（Ａ１〜ＡＫのいずれか）も定義されている。
【００７３】
次に、ＯＮＵ５での信号処理手順について図３を用いて説明する。
【００７４】
図３では一例としてＯＮＵグループ１に属するＯＮＵ５−１での構成及び動作について図示している。ＯＮＵ５での処理は、基本的には上述のＯＬＴ２での信号処理手順と逆の手順となる。
【００７５】
各ＯＮＵ５では、受信した光ＯＦＤＭ信号が、光電気変換器５２、シリアルパラレル変換器５３、ＤＦＴ５４、及び多値復調器５５によって元の下りデータ信号が復元される。ＯＮＵ５において、自装置の属するＯＮＵグループ４に割り当てられたサブキャリアに係るパラメータ（すなわち受信すべきサブキャリアの番号、及び当該サブキャリアの復調に用いる多値数）は制御部５８を介してＯＦＤＭ光受信器５０に伝えられる。ＯＮＵ５において、ＯＦＤＭ光受信器５０は、これらの情報に従い、多値復調器５５の設定を行う。ＯＮＵ５では、その他サブキャリア（自装置の属するＯＮＵグループ４以外に割り当てられたサブキャリア）に関しては復調する必要がないので、その他のサブキャリアに対応する多値復調器５５の機能を停止し、何も出力しないようにしても良い。この実施形態では、制御部５８は、受信すべきサブキャリアの番号及び当該サブキャリアの復調多値数等の情報をあらかじめＯＬＴ２から知らされているものとする。例えば、ＯＬＴ２とＯＮＵ５の間で、ユーザデータ信号とは別に、ネットワーク制御に関する制御信号を送受する通信路（論理パス）を予め設け、この制御信号を介して、ＯＬＴ２とＯＮＵ５の間で通信制御に係る情報を交換するようにしてもよい。
【００７６】
多値復調器５５から出力されたデータ信号はメモリ５６で一旦保存され、制御部５８からの合図（トリガ）に従って後段に出力される。これは、多値復調器５５の後段のデータ結合処理部５７における処理速度と受信ビットレートの調整のために行われる処理である。データ結合処理部５７での処理速度が十分高速である場合、この処理を省略するようにしてよい。
【００７７】
図３では、多値復調器５５−１〜５５−Ｎ１からメモリ５６−１〜５６−Ｎ１を経由し、サブキャリア結合処理部５９−１に供給される下りデータ信号にそれぞれ６２−１〜６２−Ｎ１という符号を付している。
【００７８】
データ結合処理部５７を構成する、サブキャリア結合処理部５９は、供給された下りデータ信号（分割されたパケット状のデータ信号）を結合して復元する。サブキャリア結合処理部５９は、受信した下りデータ信号から、例えばパケットの先頭と末尾を表す区切り文字などを見つけ、パケットを組み立てるようにしてもよい。
【００７９】
図３では、サブキャリア結合処理部５９−１が、下りデータ信号６２−１〜６２−Ｎ１を結合して組み立てたパケットに６１という符号を付している。
【００８０】
データ選択処理部６０は、サブキャリア結合処理部５９−１〜５９−ｋより出力される信号（パケット）から、自装置の属するＯＮＵグループ−４（制御部５８より知らされるＯＮＵグループ−４）に相当する信号を選択し、ユーザ端末６（ユーザネットワーク側）に向けて出力する。こうして、上位ネットワーク１から送信された下りデータ信号は最終的にユーザ端末６に到達する。
【００８１】
（Ａ−３）第１の実施形態の効果
第１の実施形態によれば、以下のような効果を奏することができる。
【００８２】
第１の実施形態では、ＯＬＴ２のメディアアクセス処理部２０から出力されるインタフェース信号がバースト状になる。メディアアクセス処理部２０では、このバースト信号の送信間隔を適宜調整することで、変動する光ＯＦＤＭ信号の伝送ビットレートに対応して、データ転送量を容易に調整できる。
【００８３】
第１の実施形態では、ＯＬＴ２において光ＯＦＤＭ信号（下り信号）が、時間軸上でＯＦＤＭシンボル周期Ｍ個分を基本単位（光ＯＦＤＭ信号ブロック）とした周期的な構成となる。したがって、ＯＬＴ２では、光ＯＦＤＭ信号ブロックとインタフェースのバースト信号の対応が明確になる。また、ＯＬＴ２では、光ＯＦＤＭ信号ブロックの境目は時間軸上ですべて同期する。この境目に合わせて各ＯＮＵグループ４のサブキャリア数の変更を行えば、通信システム全体で同期した変更を、容易に行うことができる。
【００８４】
第１の実施形態では、ＯＬＴ２のメディアアクセス処理部２０が、複数のパケット状のデータ信号を先着順で処理して送受信する。そのため、ＯＬＴ２において、パケットの順序が送信順と受信順で必ず一致する。ＯＬＴ２では、受信側と送信側との間で、パケットの順序逆転が生じない。
【００８５】
（Ｂ）第２の実施形態
以下、本発明による親局通信装置、通信方法、及びネットワークシステムの第２の実施形態を、図面を参照しながら詳述する。以下では、本発明の親局通信装置をＯＬＴに適用するものとして説明する。
【００８６】
（Ｂ−１）第２の実施形態の構成
第２の実施形態のネットワークシステム１００Ａの全体構成についても図２を用いて示すことができる。以下では、第２の実施形態について第１の実施形態との差異を中心に説明し、第１の実施形態と同様の構成及び動作については説明を省略する。
【００８７】
ネットワークシステム１００Ａでは、ＯＬＴ２がＯＬＴ２Ａに置き換わっている点で第１の実施形態と異なっている。
【００８８】
図５は、第２の実施形態のＯＬＴ２Ａの機能的構成について示したブロック図である。図５では、上述の図１と同一部分又は対応部分には、同一符号又は対応符号を付している。
【００８９】
ＯＬＴ２Ａでは、メディアアクセス処理部２０とＯＦＤＭ光受信器２１との間のインタフェースがシリアルインタフェースに変換（直列化）されている点で異なっている。具体的には、図５に示すように、この実施形態のＯＬＴ２Ａでは、メディアアクセス処理部２０とＯＦＤＭ光受信器２１との間のインタフェースとしてパラレルシリアル変換器２５及びシリアルパラレル変換器２６が追加されている点で第１の実施形態と異なっている。
【００９０】
パラレルシリアル変換器２５はメモリ２４−１〜２４−Ｎからの並列信号を直列信号に変換する機能を担っている。
【００９１】
シリアルパラレル変換器２６はパラレルシリアル変換器２５からの直列信号を並列信号に変換する機能を担っている。
【００９２】
（Ｂ−２）第２の実施形態の動作
次に、以上のような構成を有する第２の実施形態のネットワークシステム１００Ａの動作を説明する。以下では、第２の実施形態の動作について、第１の実施形態との差異を説明する。
【００９３】
以下では、図５を用いて、下りデータ信号が上位ネットワーク１からＯＬＴ２、ＯＮＵ５を経由してユーザ端末６に届くまでに行われる信号処理手順を説明する。
【００９４】
ＯＬＴ２Ａでは、分割された下りデータ信号は各メモリ２４にＭ・Ａｉ［ｂｉｔ］単位で一時保存される。そして、ＯＬＴ２Ａでは、制御部２２の指示に従い、メモリ２４−１〜２４−Ｎは保存された分割信号のうち最も古いものを同時に後段へ出力する。そしてパラレルシリアル変換器２５により、メモリ２４−１〜２４−Ｎから出力された分割信号は順番に時間多重されて直列（シリアル）に後段へ出力される。
【００９５】
図７は、メディアアクセス処理部２０（パラレルシリアル変換器２５）からＯＦＤＭ光受信器２１（シリアルパラレル変換器２６）に供給されるシリアル信号の構成例について示した説明図である。
【００９６】
図７では、パラレルシリアル変換器２５からシリアルパラレル変換器２６に供給された一塊のバースト信号４０が図示されている。
【００９７】
図７に示すように、パラレルシリアル変換器２５から出力されたバースト信号４０は、ＯＦＤＭ光受信器２１内部のシリアルパラレル変換器２６により、再び順番にパラレル化される。すなわち、メモリ２４−ｊから出力された分割信号は多値変調器２７−ｊに供給されることになる。
【００９８】
第２の実施形態において、ＯＬＴ２Ａから出力される下り方向の光ＯＦＤＭ信号の構成は第１の実施形態等同様であるため説明を省略する。また、第２の実施形態において、ＯＮＵ５の処理についても、第１の実施形態と同様であるため詳しい説明を省略する。
【００９９】
（Ｂ−３）第２の実施形態の効果
第２の実施形態によれば、第１の実施形態の効果に加えて、以下のような効果を奏することができる。
【０１００】
第２の実施形態では、ＯＬＴ２Ａでは、メディアアクセス処理部２０とＯＦＤＭ光受信器２１との間のインタフェースがシリアルインタフェースに変換（直列化）されている。これにより、第２の実施形態では、ＯＦＤＭ光受信器２１とメディアアクセス処理部２０との間のインタフェースの配線をＮ本から１本に削減できる。すなわち、第２の実施形態では、ＯＦＤＭ光受信器２１とメディアアクセス処理部２０との間のインタフェースの配線スペースの節約になる。第２の実施形態では、将来的にサブキャリア数Ｎが変更される場合においても、ＯＦＤＭ光受信器２１とメディアアクセス処理部２０との間のインタフェースの配線数を変更する必要がない。
【０１０１】
（Ｃ）第３の実施形態
以下、本発明による親局通信装置、通信方法、及びネットワークシステムの第３の実施形態を、図面を参照しながら詳述する。以下では、本発明の親局通信装置をＯＬＴに適用し、本発明の子局通信装置をＯＮＵに適用した例について説明する。
【０１０２】
（Ｃ−１）第３の実施形態の構成
第３の実施形態のネットワークシステム１００Ｂの全体構成についても図２を用いて示すことができる。以下では、第３の実施形態について第２の実施形態との差異を中心に説明し、第２の実施形態と同様の構成及び動作については説明を省略する。
【０１０３】
ネットワークシステム１００Ｂでは、ＯＬＴ２ＡがＯＬＴ２Ｂに置き換わっている点で第２の実施形態と異なっている。
【０１０４】
第３の実施形態のＯＬＴ２Ｂでは、データ振り分け処理部２３におけるデータ信号の分割方法が第２の実施形態と異なっている。具体的には、第３の実施形態のＯＬＴ２Ｂでは、データ振り分け処理部２３の内部のサブキャリア振分処理部３２が除外されている点、及びメモリ２４の数がＮ個からｋ個になっている点が第２の実施形態と異なっている。
【０１０５】
（Ｃ−２）第３の実施形態の動作
次に、以上のような構成を有する第３の実施形態のネットワークシステム１００Ｂの動作を説明する。以下では、第３の実施形態の動作について、第２の実施形態との差異を説明する。
【０１０６】
以下では、図６を用いて、下りデータ信号が上位ネットワーク１からＯＬＴ２Ｂ、ＯＮＵ５を経由してユーザ端末６に届くまでに行われる信号処理手順を説明する。
【０１０７】
ＯＬＴ２Ｂにおいて、ＯＮＵグループｉ（ｉ＝１〜ｋ）に振り分けられた下りデータ信号は、先頭からＭ・Ｎｉ・Ａｉ［ｂｉｔ］単位でメモリ２４−ｉに一時保存される。ここでＭは任意の自然数、Ｎｉ［ＳＣ］はＯＮＵグループｉに属するサブキャリア数、Ａｉ［ｂｉｔ／ｓｙｍｂｏｌ／ＳＣ］はＯＮＵグループｉに属するサブキャリアを変調する際の多値数である。そして、ＯＬＴ２Ｂでは、制御部２２の指示に従い、メモリ２４−１〜２４−ｋは保存された分割信号のうち最も古いものを同時に出力する。
【０１０８】
たとえば図６においてＯＮＵグループ１に振り分けられた下りデータ信号４１は先頭からＭ・Ｎ１・Ａ１［ｂｉｔ］ごとに分割される。そして、下りデータ信号４１は、メモリ２４−１で一時保存された後、パラレルシリアル変換器２５に供給される。すなわち、図６において、下りデータ信号４２−１は、下りデータ信号４１から分割された分割データ信号４１−１と同一となる。
【０１０９】
図８は、ＯＬＴ２Ｂにおいて、メディアアクセス処理部２０（パラレルシリアル変換器２５）からＯＦＤＭ光受信器２１（シリアルパラレル変換器２６）に供給されるバースト信号４０Ｂの構成例について示した説明図である。
【０１１０】
ＯＬＴ２Ｂでは、パラレルシリアル変換器２５により、メモリ２４−１〜２４−ｋから出力された分割信号が、順番に時間多重されて直列にバースト信号４０Ｂが出力される。パラレルシリアル変換器２５から出力されたバースト信号４０Ｂは、ＯＦＤＭ光受信器２１内部のシリアルパラレル変換器２６により、再び順番にパラレル化される。シリアルパラレル変換器２６は、バースト信号を先頭からＭ・Ａｉ［ｂｉｔ］ごとに分割し、先頭からｊ番目の分割信号を多値変調器２７−ｊに向けて出力する処理が行われる。
【０１１１】
第３の実施形態において、ＯＬＴ２Ｂから出力される下り方向の光ＯＦＤＭ信号の構成は第１及び第２の実施形態等同様であるため説明を省略する。また、第３の実施形態において、ＯＮＵ５の処理についても第１及び第２の実施形態同様であるため詳しい説明を省略する。
【０１１２】
（Ｃ−３）第３の実施形態の効果
第３の実施形態によれば、第２の実施形態の効果に加えて、以下のような効果を奏することができる。
【０１１３】
第３の実施形態のＯＬＴ２Ｂでは、データ振り分け処理部２３の内部のサブキャリア振分処理部３２が除外されており、さらに、メモリ２４の数がＮ個からｋ個になっている。これにより、第３の実施形態のＯＬＴ２Ｂでは、サブキャリア振分処理部３２に相当する回路を削減できる。
【０１１４】
また、第３の実施形態のＯＬＴ２Ｂでは、メモリ２４の数をＮ個からｋ個にできる。さらにまた、第３の実施形態のＯＬＴ２Ｂでは、ＯＮＵグループの総数ｋは、全サブキャリア数Ｎ以下となるので、ｋ＜Ｎの場合、メモリ２４の数を削減できる。
【０１１５】
（Ｄ）他の実施形態
本発明は、上記の各実施形態に限定されるものではなく、以下に例示するような変形実施形態も挙げることができる。
【０１１６】
（Ｄ−１）第２、第３の実施形態において、パラレルシリアル変換器２５は、メディアアクセス処理部２０の一部として構成されているが、メディアアクセス処理部２０とは別の部品として構成するようにしてもよい。また、シリアルパラレル変換器２６についても同様に、ＯＦＤＭ光受信器２１とは別の部品として構成するようにしてもよい。
【０１１７】
（Ｄ−２）上記の各実施形態において、ＯＬＴの内部を、メディアアクセス処理部とＯＦＤＭ光受信器に大別した構成として図示しているが、ＯＬＴの内部の各構成について、具体的な部品（モジュール）の分け方については限定されないものである。
【符号の説明】
【０１１８】
１００…ネットワークシステム、１…上位ネットワーク、２…ＯＬＴ、２１…ＯＦＤＭ光受信器、２７−１〜２７−Ｎ…多値変調器、２８…ＩＤＦＴ、２９…パラレルシリアル変換器、３０…電気光変換器、２０…メディアアクセス処理部、２２…制御部、２３…データ振り分け処理部、３１…グループ振り分け処理部、３２−１〜ｋ…サブキャリア振分処理部、２４−１〜２４−Ｎ…メモリ、３…光合分波器、５…ＯＮＵ、５０…ＯＦＤＭ光受信器、５１…メディアアクセス処理部、５２…光電気変換器、５３…シリアルパラレル変換器、５４…ＤＦＴ、５５−１〜５５−Ｎ…多値復調器、５６−１〜５６−Ｎ…メモリ、５７…データ結合処理部、５８…制御部、５９−１〜５９−ｋ…サブキャリア結合処理部、６０…データ選択処理部、６…ユーザ端末、４、４−１〜４−ｋ…ＯＮＵグループ。
【図１】
0006275177.tif 000003
【図２】
0006275177.tif 000004
【図３】
0006275177.tif 000005
【図４】
0006275177.tif 000006
【図５】
0006275177.tif 000007
【図６】
0006275177.tif 000008
【図７】
0006275177.tif 000009
【図８】
0006275177.tif 000010
【図９】
0006275177.tif 000011